(57)【要約】【課題】  バルーン型投光機において、投光部の局部的な熱の発生を防止し、発生した熱を効果的に取り除くことで、コンパクトなバルーン型投光機の投光部を提供する。【解決手段】  バルーン型投光機において、ランプ部１０のソケットと投光部４の本体との取り付け部に、ソケットが自由に傾くことを可能にする接続体を設け、複数のランプ部１０の間に、熱を遮蔽する遮蔽構造体１９を設け、ランプ部１０を保護するランプガード１２の外壁に、動風板２０を設けることを特徴とするバルーン型投光機の投光部構造。【選択図】図１
2006085973.tif 000002
【特許請求の範囲】
【請求項１】
バルーン型投光機において、ランプ部のソケットと投光部の本体との取り付け部に、前記ソケットが自由に動くことを可能にする接続体を設けることを特徴とするバルーン型投光機の投光部構造。
【請求項２】
前記接続体としてボールジョイント、蛇腹管等を用いることを特徴とする請求項１に記載のバルーン型投光機の投光部構造。
【請求項３】
前記ボールジョイントは、投光部の本体に固定され中央に開口部を持つアッパブラケットおよびロアブラケットに回動できる状態で挟まれ、前記ソケットはソケットベースに固定され、前記ソケットベースに設置された貫通管が、前記アッパブラケットの前記開口部を通り、前記ボールの貫通孔に挿入されており、前記貫通管の先端が前記ボールに固定され、前記ランプに電力を送るリード線が前記ロアブラケットの開口部、前記ボールの貫通孔、前記アッパブラケットの開口部を通り前記ソケットに接続され、前記アッパブラケットの回り止め用ピンを、前記ソケットベースに設置された回り止め用孔に設置することで、前記ソケットおよび前記ソケットベースの自転を防止し、前記ボールを中心とした傾きを調整可能にしたことを特徴とする請求項２に記載のバルーン型投光機の投光部構造。
【請求項４】
バルーン型投光機において、複数の前記ランプ部の間に、熱を遮蔽および光を反射する遮蔽構造体を設けることを特徴とするバルーン型投光機の投光部構造。
【請求項５】
バルーン型投光機において、複数の前記ランプ部の間に、熱を遮蔽および光を透過する遮蔽構造体を設けることを特徴とするバルーン型投光機の投光部構造。
【請求項６】
前記遮蔽構造体として、遮蔽板、遮蔽円筒、角型遮蔽筒、星型遮蔽筒等の構造体を用いることを特徴とする請求項４または請求項５に記載のバルーン型投光機の投光部構造。
【請求項７】
前記遮蔽構造体はアルミニウム、ステンレスなどの金属材料、あるいはセラミックウール、グラスウールなどの断熱材を前記金属材料で挟み込んだ材料構成、あるいはセラミックス材料からなることを特徴とする請求項４に記載のバルーン型投光機の投光部構造。
【請求項８】
前記遮蔽構造体はガラスからなることを特徴とする請求項５に記載のバルーン型投光機の投光部構造。
【請求項９】
バルーン型投光機において、前記ランプ部を保護する前記ランプガードの外壁に、導風板を設けることを特徴とするバルーン型投光機の投光部構造。
【請求項１０】
前記導風板として、光を透過するあるいは一部散乱するガラス板、樹脂板、紙など、あるいは光を透過しない金属板、樹脂板からなることを特徴とする請求項９に記載のバルーン型投光機の投光部構造。
【発明の詳細な説明】
【技術分野】
【０００１】
本発明は工事現場、イベント会場、スポーツ設備場等の夜間照明に用いられる、バルーン型投光機に関するものである。
【背景技術】
【０００２】
工事現場、イベント会場などの夜間照明として、移動式の投光機が利用されている。従来の投光機は、ランプの光を集光板で集め、対象となる場所に、光を集中させ照明する方式である。また、電源としては、発電機、バッテリ、あるいは電力会社の電力をケーブルを用いて利用しており、自由に移動できる照明設備である。
【０００３】
この投光機は工事現場等の所定の作業場所を、効率良く、明るく照明することができる特徴を持っている。しかしながら、利用する場所によっては、ランプの強い光が、自動車を運転する人、あるいは作業付近の住民の目に直接入ることがあり、まぶしさを感じさせ迷惑をかける。また、特定の工事現場、イベント会場、スポーツ設備では、利用者にまぶしさを感じさせない柔らかい照明が望まれている。
【０００４】
そこで、ランプの外周に、光を散乱するランプスクリーンを取り付け、散乱光で照明するバルーン型投光機が利用されている。図１０はバルーン型投光機の外観図である。バルーン型投光機１は電源制御部２、支柱３、投光部４、台車５から構成されている。電源制御部２は、電源として、内燃機関による発電機あるいはバッテリを利用する方法や、電力会社の電力を利用する方法が採用されている。
【０００５】
電源制御部２からの電力は、支柱３の先端に取り付けられている投光部４に送られ、投光部４内のランプを点灯させている。装置全体は、台車５の上に乗っており、自由に移動できる構成になっている。投光部４には、ランプ、およびランプの下部にファン等が取り付けられている。このファンにより、投光部４の外周に設置されたランプスクリーンは、バルーン状に膨らみ、また投光部４の内部を冷却している。
【０００６】
バルーン型投光機は、ランプの強い光をランプスクリーンで散乱させて照明するため、作業者等にまぶしさを感じさせない。さらに、作業を妨げる影の発生を低減し、柔らかい光で、広い範囲にわたり照明することができる特徴をもっている。
【０００７】
また、ランプの光を反射させる反射板をランプ背後に設置した反射板付ランプを用いた投光機は、投光機の照明容量を増加させる場合、反射板付ランプの設置数を増加させる方法を取っている。一方、バルーン型投光機の場合は、投光部内のランプの設置数を増加させる方法が取られている。照明容量が大きいバルーン型投光機では、投光部内に２本、４本など複数のランプが設置されている。
【特許文献１】特開２００４−２２８０５３号公報
【発明の開示】
【発明が解決しようとする課題】
【０００８】
バルーン型投光機では、投光部の小型化が重要な課題である。特に複数のランプを投光部に設置した場合は、投光部が大型化するため、極力コンパクトな構造にする必要がある。投光部を小型化すると、投光機の安定性、小型化、小型化に伴う軽量化により運搬の容易性が高められ、さらに経済的な効果もある。投光部を小型化するためには、複数のランプのランプ間を接近させ設置させる必要がある。単に、ランプを接近させ設置するとランプが高温になり、ランプの破損、あるいはランプの寿命を短くする問題が発生する。
【０００９】
ランプ間の高温部の発生を防止するには、次の点が重要である。ランプ同士が互いに与える熱の影響を小さくすること、また、ランプ間に集中する熱および光を極力外部へ放出し、高温領域の発生を防止すること、さらに、ファンによりランプを冷却しているが、この冷却効率を高めランプの温度を下げる必要がある。
【００１０】
ランプを取り付けるソケットは、投光部に等間隔に設置されている。ところが、ランプをソケットに取り付けると、ランプのねじ山のピッチが比較的大きいためねじ部が若干でもランプの中心軸に沿っていない場合、固定される位置により、ランプが傾いた状態で設置されることがある。ランプが傾いて設置されると、ランプ間が局部的に接近し、ランプの接近した部分が照明時に高温になる。そのため、ランプの局部的な接近を避ける必要がある。
【００１１】
また、例えば４本のランプを円形に取り付けると、円形に並んだランプの中心部に熱および光が集中し、ランプの温度が高くなる。そのため、中心部に集中する熱および光を、速やかに外部へ放出し、ランプの温度を下げる必要がある。
【００１２】
さらに、バルーン型投光機は、ランプの下部にファンを設置し、ランプスクリーンをバルーン状に膨らませると同時にランプを冷却している。ファンからの空気の大部分はランプの近傍を流れるが、一部の空気はランプガードを通りランプの外部へ流出する。さらに、別の一部の空気は、円形に並んだランプの中心にできる空間部を流れる。そのため、これらの空気はランプの冷却用として十分利用されないことになる。
【００１３】
また、ランプは振動に弱いため、ランプの先端を固定するランプホルダをランプガードに固定する方法をとるが、外部からの衝撃によりランプガードが変形した場合、ランプ根元部に力が加わり、ランプまたはソケットの破損が生じる。また、ランプとソケットのねじ精度のバラツキにより、ランプが傾きランプ先端位置がずれるため、ランプごとに調整が必要となる。
【課題を解決するための手段】
【００１４】
本発明は、バルーン型投光機において、ランプ部のソケットと投光部の本体との取り付け部に、ソケットが自由に回動することを可能にする接続体を設けることを特徴とするバルーン型投光機の投光部構造である。接続体としてボール、蛇腹管等を用いることを特徴とするバルーン型投光機の投光部構造である。
【００１５】
本発明のボールは、投光部の本体に固定され中央に開口部を持つアッパブラケットおよびロアブラケットに回転できる状態で挟まれ、ソケットはソケットベースに固定され、ソケットベースに設置された貫通管が、アッパブラケットの開口部を通り、ボールの貫通孔に挿入されており、貫通管の先端がボールに固定され、ランプに電力を送るリード線がロアブラケットの開口部、ボールの貫通孔、アッパブラケットの開口部を通りソケットに接続され、アッパブラケットの回り止め用ピンを、ソケットベースに設置された回り止め用孔に設置することで、ソケットおよびソケットベースの自転を防止し、ボールを中心とした傾きを調整可能にしたことを特徴とするバルーン型投光機の投光部構造である。
【００１６】
本発明は、複数の前記ランプ部の間に、熱を遮蔽および光を反射する遮蔽構造体を設けることを特徴とするバルーン型投光機の投光部構造である。前記遮蔽構造体はアルミニウム、ステンレスなどの金属材料、あるいはセラミックウール、グラスウールなどの断熱材をこの金属材料で挟み込んだ材料、あるいはセラミックス材料からなることを特徴とするバルーン型投光機の投光部構造である。また、本発明は、複数の前記ランプ部の間に、熱を遮蔽および光を透過する遮蔽構造体を設けることを特徴とするバルーン型投光機の投光部構造である。遮蔽構造体はガラスからなることを特徴とするバルーン型投光機の投光部構造である。
【００１７】
本発明は遮蔽構造体として、遮蔽板、遮蔽円筒、角型遮蔽筒、星型遮蔽筒等の構造体を用いることを特徴とするバルーン型投光機の投光部構造である。
【００１８】
本発明は、ランプ部を保護するランプガードの外壁に、導風板を設けることを特徴とするバルーン型投光機の投光部構造である。導風板として、光を透過するあるいは一部散乱するガラス板、樹脂板、紙など、あるいは光を透過しない金属板、樹脂板からなることを特徴とするバルーン型投光機の投光部構造である。
【発明の効果】
【００１９】
バルーン型投光機の投光部は経済性、軽量化、安定性の面からコンパクトな構造が望ましい。そのためには、投光部の局部的な熱の発生を防止し、発生した熱を効果的に取り除く必要がある。
【００２０】
本発明ではランプのソケットが、ソケット下部の取り付け部を中心に自由に回動することができる接続体、例えばボールジョイント等を設置している。接続体を用いると、ランプは左右や前後等に自由に傾かせることができる。そのため、投光部内の各ランプをほぼ垂直に設置することができ、ランプ間の間隔を一定に保つことができる。その結果、ランプの局部的な接近による高温部の発生を防止することができる。
【００２１】
また、ランプとソケットのねじ精度のバラツキがあっても、ランプ先端部の位置は自由になるため、ランプホルダで固定する際の調整が不要となり、ランプの取り付けを手早く行うことができる。さらに、ソケット下部の取り付け部を中心に自由にランプが回動できるため、外部からの衝撃を受けランプガードが変形する場合でも、ランプ根元部に無理な力がかかるのを防ぐことができる。
【００２２】
ランプの中心部は、ランプの熱や光が集まり高温になるが、本発明では、ランプの中心部に、熱や光を遮蔽し外部へ分散させる遮蔽構造体を設置しており、熱や光の集中によるランプの高温化を防止している。内部に集中する光を遮蔽構造体で外部に分散させることにより、ランプの照明効率も向上する。また、遮蔽構造体はランプの熱や光で加熱され、雰囲気温度を高める心配があるが、ファンからの空気が下部より流れているため遮蔽構造体はこの空気で冷却される。遮蔽構造体自身はいわゆる熱交換器としての働きも持っており、この点でも冷却効率を高めることができる。
【００２３】
さらに、遮蔽構造体は、円形に並んだランプの中心にできる空間部に設置されるため、この部分を通る空気を分散させ、ランプの近傍へ導くことになる。そのため、この空気はランプの冷却用として有効に利用される。遮蔽構造体をガラスで構成した場合、熱を遮蔽および光を透過させることから、ランプが１灯切れた場合でもランプが切れた側の明かりが極端に暗くならない効果がある。
【００２４】
また、ランプの下部にはバルーン吸気用のファンが設置されており、このファンから吸入される空気でランプを冷却している。ランプを効果的に冷却するためには、空気がランプの近傍に集中して流れることが望ましい。本発明では、ランプを保護するランプガードに導風板を取り付けている。この導風板の設置により空気がランプガードを通過し、外部へ流出することを防いでいる。そのため、空気は効率良くランプ近傍を流れ、ランプの冷却用として有効に利用される。
【００２５】
さらに、導風板として、光を散乱する材質を用いることにより、投光部にあるランプガード等の内装物の影が、ランプスクリーンに映ることを防止することができる。ランプスクリーンに発生する影は、照明にむらを発生させ、また、ランプスクリーンの外観の美しさを阻害することになる。さらに、導風板は照明点検中に人の手がランプに触れ、火傷するなどの事故を防止することもできる。
【発明を実施するための最良の形態】
【００２６】
図１は本発明に基づく、バルーン型投光機の投光部の斜視図である。図２は本発明に基づく、バルーン型投光機の投光部の分解斜視図である。図１および図２は、投光部４にランプを４本設置した場合を示している。投光部４はランプ部１０、ランプホルダ１１、ランプガード１２、ランプブラケット１３、ファン部１４、ファンベース１５、およびランプスクリーン１６から構成されている。なお、図１および、図２に示すようにランプガード１２には導風板２０が取り付けられている。
【００２７】
ランプ部１０はランプブラケット１３に取り付けられており、ランプ部１０の上部はランプホルダ１１で固定されている。ランプ部１０を保護するためにランプガード１２が取り付けられている。ファン部１４に設置されているファン１７で空気がランプブラケット１３の通風孔を通りランプ部１０の周りに送られており、ランプ部１０を冷却している。投光部４の外部はランプスクリーン１６が設置されている。ランプスクリーン１６は、ファン１７で吸気された空気でバルーン状に膨らんでいる。ランプ部１０からの光が、ランプスクリーン１６を通過する過程で散乱するため柔らかい光で照明される。
【００２８】
図３は本発明に基づく、ランプ部の斜視図である。図４は本発明に基づく、ランプ部の分解斜視図である。図５は本発明に基づく、ランプ部の断面図である。ランプ部１０はランプ３０、ソケット３１、ソケットベース３２、アッパブラケット３３、ロアブラケット３４、ボール３５、およびランプブラケット１３から構成されている。ランプ３０のソケット３１に取り付ける部分には、ねじ山があり、ソケット３１にねじ込むことで固定されている。
【００２９】
ランプ部１０のソケット３１は、ソケットベース３２にランプソケット固定用スクリュ３９で固定される。ソケットベース３２は、アッパブラケット３３の上部に設置され、ソケットベース３２の貫通管３８は、ボール３５の貫通孔４１に挿入される。ソケットベース３２の貫通管３８は、スナップリング４２によりボール３５の貫通孔４１に固定される。ボール３５は、アッパブラケット３３とロアブラケット３４に挟さまれており、この間で、ボール３５が回転できるボールジョイント構造になっている。
【００３０】
アッパブラケット３３の回り止め用ピン３６は、ソケットベース３２の回り止め用孔３７に入れられる。そのため、ソケットベース３２は、アッパブラケット３３上において、回転が制約され、リード線４３のねじれを防止している。アッパブラケット３３およびロアブラケット３４は、ブラケット固定用スクリュ４０で固定される。ロアブラケット３４は、ブラケット固定用スクリュ４０でランプブラケット１３に固定される。
【００３１】
ランプ３０に電気を送るリード線４３は、ランプブラケット１３、ロアブラケット３４、ソケットベース３２の貫通管３８、およびアッパブラケット３３を通り、電源制御部２からランプ３０に接続されている。
【００３２】
本例では、ランプ３０のソケット３１および投光部４本体との間の接続体として、ボールジョイントを用いている。そのため、ボール３５に接続しているソケットベース３２、ソケットベース３２の上に設置されたソケット３１、さらにソケット３１に取り付けられるランプ３０は、一体として、左右あるいは前後等に傾けることができる。
【００３３】
そこで、ランプ３０をソケット３１に取り付けた場合、各ランプ３０を動かし、ランプ３０をほぼ垂直に立てることで、各ランプ３０の距離を一定にできる。その結果、ランプ３０間の局部的な高温部の発生を防止することができる。さらに、ランプ３０を自由に傾けることができるため、ランプ３０の取り付け時に、無理な力をランプ３０にかけることなく強固に固定することができ、外部からの衝撃や運搬時の振動に対して、ランプ３０根元部の破損やソケットの破損を防止できる。
【００３４】
また、本発明では、ランプ３０の中心部に、ランプ３０の熱を遮蔽する遮蔽構造体１９を設置している。図６は本発明に基づく、遮蔽構造体として遮蔽板を設置した投光部の斜視図である。この例ではランプ３０を４本取り付けているため、遮蔽構造体１９として各ランプ３０を隔離する格子状の遮蔽板を採用している。ランプ３０から中心部に向けられた熱は、この遮蔽板で反射され、外部へ放出される。そのため、ランプ３０が他のランプ３０の熱の影響を受けて高温になることを防ぐことができる。
【００３５】
図７は本発明に基づく、遮蔽構造体として星型遮蔽筒を設置した投光部の斜視図である。図８は本発明に基づく、遮蔽構造体として遮蔽円筒および角型遮蔽筒を設置した投光部の断面図である。例えば、この遮蔽構造体１９を光が反射する材料で構成した場合、星型遮蔽筒の設置は星型部の形状を選択することにより、反射角度を適正化することで、各ランプ３０の熱あるいは光を効果的に外部へ放出できる特徴がある。また、遮蔽構造体１９として遮蔽円筒あるいは角型遮蔽筒を各ランプ３０の中心部に設置すると、ランプ３０からの熱あるいは光を反射して外部に放射する働きがあり、しかも、安価に製作できる構造である。
【００３６】
また、ファン１７からの大部分の空気は、ランプ３０の近傍を流れランプ３０を冷却することになるが、一部の空気はランプ３０間の中心部を流れる。中心部を流れる空気はランプ３０を冷却する働きが少ない。中心部に、これらの筒状の遮蔽構造体１９を設置することにより、中心部への空気の流れをランプ３０近傍に導くことができる。その結果、中心部の空気はランプ３０の冷却用として有効に利用される。
【００３７】
また、遮蔽構造体１９の設置により、遮蔽構造体１９自身が、ランプ３０の熱あるいは光の一部で加熱されるが、ファン１７からの空気で容易に冷却される。すなわち、遮蔽構造体１９は熱交換器の働きをすることになるため、この点でも冷却効率を高めることができる。
【００３８】
この遮蔽構造体１９は、断熱効果を有し、光を反射、若しくは透過する材料で構成される。遮蔽構造体には、耐熱性があり熱や光の反射率の高い材料、例えばアルミニウム、ステンレスなどの金属材料、あるいはセラミックウール、グラスウールなどの断熱材をこの金属材料で挟み込んだ構成、あるいはセラミックス材料を用いる。また、光を透過させる場合はガラスを用いることになる。
【００３９】
投光部４をコンパクトにするためには、さらにランプ３０を効率良く冷却する必要がある。図１および図２に投光部の構成を示したが、ファン部１４からの空気は、ランプブラケット１３を通り、ランプ部１０を冷却している。ランプ部１０に供給された空気の一部は分散しランプガード１２を通り、外部へ排出されるため、ランプ部１０を冷却する効果は減少する。
【００４０】
図９は本発明に基づく、ランプガードの外周に導風板を取り付けた投光部の斜視図である。空気を冷却用として有効に利用するためには、ランプガード１２に導風板２０を取り付けることで、ランプガード１２から外部へ分散する空気が無くなり、外部へ分散していた空気は、ランプ３０の冷却用として有効に利用される。
【００４１】
導風板２０は、冷却風をランプ３０に導く働きを持っているため、導風板２０の設置位置の下端はランプガード１２の最下部になる。導風板２０の上端の設置位置が高い場合は光を透過する材質のものを使用し、上端の設置位置があまり高くなく光の照射に影響を及ぼさない場合は、金属板などの光を透過しない材質であってもよい。
【００４２】
また、この導風板２０の上端の設置位置が高い場合には、光を散乱する効果がある材料、例えば半透明のガラス板、ポリエステルなどの樹脂板、あるいは紙を用いることで、ランプガード１２等の投光部４の影が、ランプスクリーン１６に映ることを防止することができる。ランプスクリーン１６に映る影は照明に影を作ることになり美観も損なう。
【図面の簡単な説明】
【００４３】
【図１】本発明に依るバルーン型投光機の投光部における斜視図である。
【図２】本発明に依るバルーン型投光機の投光部の分解斜視図である。
【図３】本発明に依るランプ部の斜視図である。
【図４】本発明に依るランプ部の分解斜視図である。
【図５】本発明に依るランプ部の断面図である。
【図６】本発明に依る遮蔽構造体として遮蔽板を設置した投光部の斜視図である。
【図７】本発明に依る遮蔽構造体として星型遮蔽筒を設置した投光部の斜視図である。
【図８】は本発明に依る遮蔽構造体として遮蔽円筒および角型遮蔽筒を設置した投光部の断面図である。
【図９】本発明に依るランプガードの外周に導風板を設置した投光部の斜視図である。
【図１０】一般のバルーン型投光機の外観図である。
【符号の説明】
【００４４】
１    バルーン型投光機
２    電源制御部
３    支柱
４    投光部
５    台車
１０  ランプ部
１１  ランプホルダ
１２  ランプガード
１３  ランプブラケット
１４  ファン部
１５  ファンベース
１６  ランプスクリーン
１７  ファン
１８  ファンカバー
１９  遮蔽構造体
２０  導風板
３０  ランプ
３１  ソケット
３２  ソケットベース
３３  アッパブラケット
３４  ロアブラケット
３５  ボール
３６  回り止め用ピン
３７  回り止め用孔
３８  貫通管
３９  ランプソケット固定用スクリュ
４０  ブランケット固定用スクリュ
４１  貫通孔
４２  スナップリング
４３  リード線
【図１】
2006085973.tif 000003
【図２】
2006085973.tif 000004
【図３】
2006085973.tif 000005
【図４】
2006085973.tif 000006
【図５】
2006085973.tif 000007
【図６】
2006085973.tif 000008
【図７】
2006085973.tif 000009
【図８】
2006085973.tif 000010
【図９】
2006085973.tif 000011
【図１０】
2006085973.tif 000012